(57)【要約】【課題】操作する装置のメニュー画面を直観的に選択可能な表示装置、映像装置、メニュー画面表示方法、および映像表示システムを得る。【解決手段】表示装置（表示機器１０）は、映像を立体的に表示する表示部１５と、接続された１または複数の映像装置（アンプ２０および録画再生機器３０Ａ）用の各メニュー画面と自装置用のメニュー画面とを、互いに異なる立体度（ＯＳＤ立体度）をもって表示部に表示させる制御を行う表示制御部（制御部１８）とを備える。【選択図】図１
2011250367.tif 000002
【特許請求の範囲】
【請求項１】
映像を立体的に表示する表示部と、
接続された１または複数の映像装置用の各メニュー画面と自装置用のメニュー画面とを、互いに異なる立体度をもって前記表示部に表示させる制御を行う表示制御部と
を備えた表示装置。
【請求項２】
前記表示制御部は、前記１または複数の映像装置用のメニュー画面および自装置用のメニュー画面の中からいずれか１つを選択する選択操作を受け付け、その選択された装置用のメニュー画面を、選択されたことを示しつつ前記表示部に表示するように制御を行う
請求項１に記載の表示装置。
【請求項３】
さらに、メニュー画面を生成するメニュー画面生成部を備えた
請求項２に記載の表示装置。
【請求項４】
さらに、
前記映像装置に対してメニュー情報要求信号を送信する送信部と、
その映像装置からメニュー情報を受信する受信部と
を備えた
請求項３に記載の表示装置。
【請求項５】
前記メニュー情報はメニュー画面である
請求項４に記載の表示装置。
【請求項６】
さらに、自装置および前記映像装置の装置アドレスと、各装置用のメニュー画面の立体度とを装置情報として保持する装置情報保持部を備え、
前記メニュー画面生成部は、前記装置情報に基づいてメニュー画面を生成する
請求項４に記載の表示装置。
【請求項７】
前記送信部は、前記装置情報に基づいて、前記映像装置に対して前記メニュー情報要求信号を送信する
請求項６に記載の表示装置。
【請求項８】
前記制御部は、リモコン装置からメニュー画面選択信号を受信するたびに、複数のメニュー画面のうち、選択されていたメニュー画面の次に立体度が大きいあるいは小さい他のメニュー画面を選択する
請求項２に記載の表示装置。
【請求項９】
前記制御部は、リモコン装置からメニュー画面選択信号を受信するたびに、複数のメニュー画面のそれぞれの立体度を巡回させ、その立体度が一番大きいメニュー画面を選択する
請求項２に記載の表示装置。
【請求項１０】
前記メニュー画面は、映像情報の上に重ねて表示されるものである
請求項１に記載の表示装置。
【請求項１１】
表示装置用のメニュー画面と自装置用のメニュー画面とを、互いに異なる立体度をもって表示する前記表示装置からメニュー情報要求信号を受信する受信部と、
前記表示装置に対してメニュー情報を送信する送信部と
を備えた映像装置。
【請求項１２】
さらに、メニュー画面を生成するメニュー画面生成部を備え、
前記メニュー情報はメニュー画面である
請求項１１に記載の映像装置。
【請求項１３】
１または複数の映像装置用の各メニュー画面と表示装置用のメニュー画面とを、互いに異なる立体度をもって表示させ、
前記１または複数の映像装置用のメニュー画面および自装置用のメニュー画面の中からいずれか１つを選択する選択操作を受け付け、その選択された装置用のメニュー画面を、選択されたことがわかるように表示する
メニュー画面表示方法。
【請求項１４】
表示装置と、
前記表示装置に接続された１または複数の映像装置と
を備え、
前記表示装置は、
映像を立体的に表示する表示部と、
前記１または複数の映像装置用の各メニュー画面と自装置用のメニュー画面とを、互いに異なる立体度をもって前記表示部に表示させる制御を行う表示制御部と
を有し、
前記映像装置は、
前記表示装置からメニュー情報要求信号を受信する受信部と、
前記表示装置に対してメニュー情報を送信する送信部と
を有する
映像表示システム。
【発明の詳細な説明】
【技術分野】
【０００１】
本発明は、ＯＳＤによるメニュー画面を生成する機能を有する表示装置および映像装置、そのような表示装置と映像装置とを含んで構築される映像表示システム、ならびにそのような映像表示システムに適用されるメニュー画面表示方法に関する。
【背景技術】
【０００２】
近年、薄型のテレビジョン受像機の普及に伴い、このようなテレビジョン受像機（表示装置）と録画再生装置等の外部装置（映像装置）との連携を簡単かつスムースにするリンク機能が充実してきている。特に最近では、Blu-ray Disc（登録商標）レコーダの普及により、ハイビジョン放送をそのままの高画質で録画保存することが当たり前となりつつある。リンク機能はこれを非常に扱いやすくするための必須機能ともいえる。
【０００３】
上記のリンク機能の名称は各社によって様々であるが、その基本的な規格はＨＤＭＩ（登録商標）を用いたＨＤＭＩ−ＣＥＣ（High Definition Multimedia Interface - Consumer Electronics Control）である。これは、ＨＤＭＩケーブルを介してＣＥＣプロトコル準拠の制御信号を伝送し、装置間の連携動作を実現するものである。これにより、面倒なリモコンの持ち替えや複雑なボタン操作から解放され、簡単な操作で映像や音声を楽しむことができる。
【０００４】
ＨＤＭＩ−ＣＥＣの規格にはメーカ間で統一された共通コマンドを用いた基本的な装置間制御機能と、各メーカが自由に開発できる固有コマンドを用いた独自の装置間制御機能とがあり、この固有コマンドを用いた様々な機能が各社より提案されている。
【０００５】
一方、近年、電子機器の高機能化に伴い、電子機器の設定をＯＳＤ（On-Screen Display）により行う方法が普及し、表示装置と映像装置においてもこの方法が当たり前になってきている。この方法では、表示装置にメニュー画面を表示させ、そのメニュー画面に従って装置の設定を行うことにより、よりわかりやすい装置設定が実現できるとともに、上下左右を示すボタンや決定ボタンなどの基本的なボタンのみを用いて、多くの種類の設定を行うことができるようになっている。
【０００６】
このメニュー画面をＨＤＭＩ−ＣＥＣを用いて制御する技術に関して、様々な提案がなされている。例えば、特許文献１には、映像装置と表示装置のメニュー表示に関する技術が開示されている。この技術では、映像装置にメニュー表示を指示した場合において、映像装置と表示装置との間でＨＤＭＩ−ＣＥＣを用いてコントロール信号を伝送することにより、表示装置の入力切換をその映像装置にあわせ、その映像装置のメニュー画面を表示するようになっている。
【先行技術文献】
【特許文献】
【０００７】
【特許文献１】特開２００８−９２２０８号公報
【発明の概要】
【発明が解決しようとする課題】
【０００８】
ところで、表示装置と映像装置を、それぞれのリモコンで操作する場合には、装置の数と同数のリモコンを操作する必要があり不便である。そこで、複数の装置を操作するためのボタンを配置した１つのリモコンを用いて、これらの装置を操作できるようにすることが望まれている。この場合には、例えば、表示装置がリモコンから制御信号を受信し、ＨＤＭＩ−ＣＥＣの機能を用いて、その制御信号を操作の対象となる映像装置に対して送信する方法が考えられる。
【０００９】
この場合、リモコンには、複数の装置を操作するためのボタンがそれぞれ配置されるが、リモコン上に配置できるボタンの数は、リモコンのサイズやデザインなどにより制約され、多くのボタンを配置することは難しい。そこで、例えば、上下左右を示すボタン、ホームボタン、オプションボタン、決定ボタンなど、多くの表示装置や映像装置で使用されるボタンを共用することにより、ボタンの数をある程度削減可能である。しかしながら、この場合には、ＯＳＤによるメニュー画面を操作する際、まず、操作する装置を選択してその装置のメニュー画面を表示して、これらの共用ボタンをどの装置の操作に使用するかを決めたうえで、これらのボタンを操作する必要がある。操作する装置を選択する際には、例えば表示装置に接続された映像装置の一覧を表示させ、その中から操作する装置を選択するため、装置を常に意識する必要があり、必ずしも直観的に使いやすいものではなかった。
【００１０】
ところで、近年、立体視表示を実現できる表示装置が注目を集めている。そのような表示装置で、ＯＳＤによるメニュー画面をどのように表示するかについての具体的提案はない。
【００１１】
本発明はかかる問題点に鑑みてなされたもので、その目的は、操作する装置のメニュー画面を直観的に選択可能な表示装置、映像装置、メニュー画面表示方法、および映像表示システムを提供することにある。
【課題を解決するための手段】
【００１２】
本発明の表示装置は、表示部と、表示制御部とを備えている。表示部は、映像を立体的に表示するものである。表示制御部は、接続された１または複数の映像装置用の各メニュー画面と自装置用のメニュー画面とを、互いに異なる立体度をもって表示部に表示させる制御を行うものである。
【００１３】
本発明の映像装置は、受信部と、送信部とを備えている。受信部は、表示装置用のメニュー画面と自装置用のメニュー画面とを、互いに異なる立体度をもって表示する表示装置からメニュー情報要求信号を受信するものである。送信部は、表示装置に対してメニュー情報を送信するものである。
【００１４】
本発明のメニュー画面表示方法は、１または複数の映像装置用の各メニュー画面と表示装置用のメニュー画面とを、互いに異なる立体度をもって表示させ、１または複数の映像装置用のメニュー画面および自装置用のメニュー画面の中からいずれか１つを選択する選択操作を受け付け、その選択された装置用のメニュー画面を、選択されたことがわかるように表示するものである。
【００１５】
本発明の映像表示システムは、表示装置と、表示装置に接続された１または複数の映像装置とを備えている。表示装置は、映像を立体的に表示する表示部と、１または複数の映像装置用の各メニュー画面と自装置用のメニュー画面とを、互いに異なる立体度をもって表示部に表示させる制御を行う表示制御部とを有している。映像装置は、表示装置からメニュー情報要求信号を受信する受信部と、表示装置に対してメニュー情報を送信する送信部とを有している。
【００１６】
本発明の表示装置、映像装置、メニュー画面表示方法、および映像表示システムでは、互いに立体度の異なる複数のメニュー画面が、同時に立体的に表示される。ユーザは、表示された複数のメニュー画面の中から、その立体度に基づいてメニュー画面を選択する。
【００１７】
本発明の表示装置では、表示制御部は、例えば、１または複数の映像装置用のメニュー画面および自装置用のメニュー画面の中からいずれか１つを選択する選択操作を受け付け、その選択された装置用のメニュー画面を、選択されたことがわかるように表示部に表示するように制御を行うことが望ましい。さらに、表示装置は、例えば、メニュー画面を生成するメニュー画面生成部を備えていることが望ましい。さらに、表示装置は、例えば、映像装置に対してメニュー情報要求信号を送信する送信部と、その映像装置からメニュー情報を受信する受信部とを備えていることが望ましい。この場合、例えば、メニュー情報はメニュー画面であってもよい。さらに、表示装置は、例えば、自装置および映像装置の装置アドレスと、各装置用のメニュー画面の立体度とを装置情報として保持する装置情報保持部を備え、メニュー画面生成部は、装置情報に基づいてメニュー画面を生成することが望ましい。この場合、送信部は、例えば、装置情報に基づいて、映像装置に対してメニュー情報要求信号を送信することが望ましい。
【００１８】
制御部は、例えば、リモコン装置からメニュー画面選択信号を受信するたびに、複数のメニュー画面のうち、選択されていたメニュー画面の次に立体度が大きいあるいは小さい他のメニュー画面を選択するものであってもよい。もしくは、制御部は、例えば、リモコン装置からメニュー画面選択信号を受信するたびに、複数のメニュー画面のそれぞれの立体度を巡回させ、その立体度が一番大きいメニュー画面を選択するものであってもよい。
【００１９】
本発明の映像装置は、さらに、例えば、メニュー画面を生成するメニュー画面生成部を備えていてもよい。この場合、例えば、メニュー情報はメニュー画面であってもよい。
【発明の効果】
【００２０】
本発明の表示装置、映像装置、メニュー画面表示方法、および映像表示システムによれば、互いに立体度の異なる複数のメニュー画面を表示するようにしたので、ユーザは、操作する装置のメニュー画面を、その立体度に基づいて直観的に選択することができる。
【図面の簡単な説明】
【００２１】
【図１】本発明の実施の形態に係る映像表示システムの一構成例を表すブロック図である。
【図２】第１の実施の形態に係る表示部の一構成例および一動作例を表す説明図である。
【図３】第１の実施の形態に係るリモコンの一構成例を表す平面図である
【図４】第１の実施の形態に係る機器情報管理テーブルの一構成例を表す表である。
【図５】第１の実施の形態に係る表示機器および映像機器の接続例を表す説明図である。
【図６】第１の実施の形態に係る映像表示システムの一動作例を表す流れ図である。
【図７】第１の実施の形態に係る映像表示システムの一動作例を表す説明図である。
【図８】第２の実施の形態に係る映像表示システムの一動作例を表す流れ図である。
【図９】第２の実施の形態に係る映像表示システムの一動作例を表す説明図である。
【図１０】第２の実施の形態に係る映像表示システムの一動作例を表す他の説明図である。
【発明を実施するための形態】
【００２２】
以下、本発明の実施の形態について、図面を参照して詳細に説明する。なお、説明は以下の順序で行う。
１．第１の実施の形態
２．第２の実施の形態
【００２３】
＜１．第１の実施の形態＞
［構成例］
（全体構成例）
図１は、本発明の第１の実施の形態に係る映像表示システムの一構成例を表すものである。なお、本発明の実施の形態に係る表示装置、映像装置、およびメニュー画面表示方法は、本実施の形態により具現化されるので、併せて説明する。
【００２４】
映像表示システム１は、表示機器１０と、アンプ２０と、録画再生機器３０Ａ，３０Ｂとを備えている。なお、映像表示システムは、この構成に限定されるものではなく、アンプ２０や録画再生機器３０Ａ，３０Ｂに代えて、もしくはこれらとともに、再生機器や、ビデオカメラ、外部チューナなどを備えていてもよい。以下では、アンプ２０と録画再生機器３０Ａなどを総称して、適宜映像機器と呼ぶものとする。
【００２５】
（表示機器１０）
表示機器１０は、映像情報に、ＯＳＤによる立体的なメニュー画面を重ねて表示する立体視表示機器である。表示機器１０は、端子Ｔ１，Ｔ２は、ＨＤＭＩ送受信部１１と、チューナ部１２と、ＯＳＤ生成部１３と、映像処理部１４と、表示部１５と、ＲＣ（リモートコントロール）受信部１６と、メモリ１７と、制御部１８とを備えている。
【００２６】
端子Ｔ１，Ｔ２は、ＨＤＭＩ規格に準拠したコネクタを用いて構成されたものであり、これらの端子には、映像機器としてのアンプ２０および録画再生機器３０Ｂがそれぞれ接続されている。詳細は後述するが、端子Ｔ１，Ｔ２に接続されたこれらの映像機器には、その端子Ｔ１，Ｔ２に応じた物理アドレスが割り当てられるようになっている。なお、この例では表示機器１０は２つの端子Ｔ１，Ｔ２を備えているが、これに限定されるものではなく、端子は１つでもよいし、３つ以上でもよい。
【００２７】
ＨＤＭＩ送受信部１１は、端子Ｔ１を介して接続されたアンプ２０や、端子Ｔ２を介して接続された録画再生機器３０Ｂから映像信号を受信するとともに、これらの映像機器との間で、機器が連携して動作するためのＣＥＣ制御信号をやりとりするものである。受信する映像信号は、後述するように、これらの映像機器の立体的なメニュー画面に関する映像情報を含むものである。ＨＤＭＩ送受信部１１は、端子Ｔ１，Ｔ２において受信した映像信号のうちの一方を選択し、選択した映像信号を映像処理部１４に供給するようになっている。ＣＥＣ制御信号は、具体的には、後述するように、アンプ２０や録画再生機器３０Ｂがそれぞれの論理アドレスを取得する際や、表示機器１０がこれらの映像機器に対してメニュー画面の生成依頼を行う際などに使用されるものである。
【００２８】
チューナ部１２は、アンテナ１９で受信した放送波に対して所定の受信処理やデコード処理等を行うことにより、映像信号および音声信号などを復元生成し、その映像信号を映像処理部１４に供給するものである。
【００２９】
ＯＳＤ生成部１３は、表示機器１０の様々な設定を行うため、あるいは表示機器１０を操作するための、映像情報に重ねて表示されるメニュー画面を生成する機能を有している。このメニュー画面は、後述する表示部において立体画像として表示されるものである。すなわち、ＯＳＤ生成部１３は、互いに視差がある左眼用画像および右眼用画像からなるメニュー画面を生成するものである。その際、ＯＳＤ生成部１３は、後述するように、機器情報管理テーブルＴＡの、表示機器１０のＯＳＤ立体度に基づいて、視差を設定するようになっている。
【００３０】
映像処理部１４は、チューナ部１２、ＨＤＭＩ送受信部１１、ＯＳＤ生成部１３から供給された映像信号に基づいて表示部１５に映像を表示させるための各種の映像処理や制御を行うものである。具体的には、映像処理部１４は、チューナ部１２から供給された映像信号およびＨＤＭＩ送受信部１１から供給された映像信号のうちの一方を選択し、選択した映像情報上にＯＳＤ生成部１３から供給されるメニュー画面を重ね合わせ、その後にガンマ処理などの映像処理を行う。映像処理部１４は、これらの処理により生成された、互いに視差がある左眼用画像および右眼用画像を、表示部１５に供給するようになっている。
【００３１】
表示部１５は、映像処理部１４から供給された信号に基づいて立体視表示を行うものである。
【００３２】
図２は、表示部１５の一構成例および一動作例を表すものである。表示部１５は、表示デバイス５を備えている。表示デバイス５は、例えば液晶表示パネルなどにより構成され、左眼用画像Ｌと右眼用画像Ｒとを交互に時分割表示するものである。観察者９は、表示デバイス５に表示された左眼用画像Ｌおよび右眼用画像Ｒを、シャッタ眼鏡６０を通して見ることにより、立体的な映像として認識するようになっている。シャッタ眼鏡６０は、観察者９が身につける眼鏡型のシャッタ装置であり、左眼用シャッタ６Ｌおよび右眼用シャッタ６Ｒを有している。これらの左眼用シャッタ６Ｌおよび右眼用シャッタ６Ｒは、例えば液晶シャッタなどの遮光シャッタにより構成されている。これらの左眼用シャッタ６Ｌおよび右眼用シャッタ６Ｒにおける遮光状態（開状態および閉状態）は、表示部１５に含まれるシャッタ制御部（図示せず）から供給されるシャッタ制御信号ＣＴＬにより制御されるようになっている。
【００３３】
図２において、（Ａ）は左眼用画像Ｌを表示したときの動作を示し、（Ｂ）は右眼用画像Ｒを表示したときの動作を示す。表示デバイス５が左眼用画像Ｌを表示しているとき、シャッタ眼鏡６０では、図２（Ａ）に示したように、左眼用シャッタ６Ｌが開状態となるとともに、右眼用シャッタ６Ｒが閉状態となる。このとき、観察者９は左眼９Ｌで左眼用画像Ｌを見る。一方、表示デバイス５が右眼用画像Ｒを表示しているとき、シャッタ眼鏡６０では、図２（Ｂ）に示したように、左眼用シャッタ６Ｌが閉状態となるとともに、右眼用シャッタ６Ｒが開状態となる。このとき、観察者９は右眼９Ｒで右眼用画像Ｒを見る。これらの動作を交互に繰り返すと、左眼用画像Ｌと右眼用画像Ｒとの間には視差があるため、観察者９は、これらの一連の画像からなる映像を奥行きのある立体的な映像として認識することができる。
【００３４】
ＲＣ受信部１６は、リモートコントロール機器４０（後述）からのリモコン制御信号を受信して、そのリモコン制御信号を制御部１８に送る機能を有している。
【００３５】
図３は、リモートコントロール機器４０の一構成例を表すものである。リモートコントロール機器４０は、表示機器１０や、表示機器１０に接続される映像機器（アンプ２０、録画再生機器３０Ａ，３０Ｂ）の操作を行うためのものである。リモートコントロール機器４０は、奥ボタン４１と、手前ボタン４２とを有している。奥ボタン４１および手前ボタン４２は、後述するように、表示部１５に表示された、互いにＯＳＤ立体度の異なる複数の機器の立体的なメニュー画面から、操作するメニュー画面をその立体度に基づいて選択するために使用されるものである。奥ボタン４１および手前ボタン４２が押されることにより、リモートコントロール機器４０は、それぞれに対応するメニュー画面選択信号を表示機器１０に対して送信するようになっている。なお、複数のメニュー画面を同時に表示させる方法としては、例えば、奥ボタン４１または手前ボタン４２を押すようにしてもよいし、奥ボタン４１や手前ボタン４２とは異なるボタン（例えばオプションボタンなど）を押すようにしてもよい。このとき、リモートコントロール機器４０は、表示機器１０に対してメニュー画面表示要求信号を送信する。また、例えば、リモートコントロール機器４０に配置される、各機器固有のボタンを押すことにより、それぞれ別々にメニュー画面を表示し、結果として複数のメニュー画面を同時に表示するようにしてもよい。
【００３６】
メモリ１７は、表示機器１０が様々な処理を行う際に必要な情報を記憶しておくものである。具体的には、メモリ１７は、後述するように、例えば、表示機器１０および表示機器１０に接続された映像機器（アンプ２０および録画再生機器３０Ａ，３０Ｂ）を管理するための機器情報管理テーブルＴＡを記憶している。また、メモリ１７は、後述するように、表示部１５に複数の機器の立体的なメニュー画面が表示された場合において、現在選択され操作可能となっているメニュー画面のＯＳＤ立体度を記憶するようになっている。
【００３７】
制御部１８は、ＨＤＭＩ送受信部１１、ＯＳＤ生成部１３、映像処理部１４、表示部１５、ＲＣ受信部１６、メモリ１７が連携して動作するように制御する機能を有している。また、制御部１８は、ＨＤＭＩ送受信部１１が受信したＣＥＣ制御信号に基づいてこれらの回路ブロックを制御し、映像装置（アンプ２０および録画再生機器３０Ａ，３０Ｂ）を制御するためのＣＥＣ制御信号を生成する機能も有している。
【００３８】
（録画再生機器３０Ａ，３０Ｂ、アンプ２０）
録画再生機器３０Ａは、例えば、ＤＶＤ（登録商標）レコーダや、Blu-ray Discレコーダなどであり、映像情報を再生して出力するものである。なお、録画再生機器３０Ｂは、録画再生機器３０Ａと同様な構成であるため、ここでは、録画再生機器３０Ａに対してのみ説明する。
【００３９】
録画再生機器３０Ａは、記録再生部３１と、ＯＳＤ生成部３２と、映像処理部３３と、ＨＤＭＩ送受信部３４と、メモリ３５と、制御部３６とを備えている。
【００４０】
記録再生部３１は、ＤＶＤ、Blu-ray Disc、ハードディスクなどの記録ドライブであり、映像情報を録画し、あるいは、録画された映像情報を再生する機能を有している。
【００４１】
ＯＳＤ生成部３２は、表示機器１０の映像処理部１４と同様に、録画再生機器３０Ａの様々な設定を行うため、あるいは録画再生機器３０Ａを操作するための、映像情報に重ねて表示される立体的なメニュー画面を生成する機能を有している。その際、ＯＳＤ生成部３２は、後述するように、割り当てられメモリ３５に記憶されたＯＳＤ立体度に基づいて、視差を設定するようになっている。
【００４２】
映像処理部３３は、記録再生部３１およびＯＳＤ生成部３２から供給された映像信号に対して、各種の映像処理や制御を行うものである。具体的には、映像処理部３３は、記録再生部３１から供給された映像情報の上にＯＳＤ生成部３２から供給されるメニュー画面を重ね合わせるとともに、所定の映像処理を行うようになっている。
【００４３】
ＨＤＭＩ送受信部３４は、映像処理部３３から供給された、立体的なメニュー画面を含む映像情報を、アンプ２０を介して表示機器１０に送信するとともに、アンプ２０および表示機器１０との間で、機器が連携して動作するためのＣＥＣ制御信号をやりとりするものである。
【００４４】
メモリ３５は、録画再生機器３０Ａが様々な処理を行う際に必要な情報を記憶しておくものである。具体的には、メモリ３５は、例えば、録画再生機器３０Ａの物理アドレス、論理アドレス、およびＯＳＤ立体度（後述）などを記憶するようになっている。
【００４５】
制御部３６は、記録再生部３１、ＯＳＤ生成部３２、映像処理部３３、ＨＤＭＩ送受信部３４、メモリ３５、制御部３６が連携して動作するように制御する機能を有している。  また、制御部３６は、ＨＤＭＩ送受信部３４が受信したＣＥＣ制御信号に基づいてこれらの回路ブロックを制御し、アンプ２０および表示装置１０を制御するためのＣＥＣ制御信号を生成する機能も有している。
【００４６】
アンプ２０は、例えば、ホームシアタ等で使用される、いわゆるオーディオビジュアルアンプであり、映像信号の入出力ができるとともに、入力される映像信号に対する入力セレクタの機能を有するものである。アンプ２０は、端子Ｔ１１，Ｔ１２と、ＨＤＭＩ送受信部２１と、ＯＳＤ生成部２２と、映像処理部２３と、ＨＤＭＩ送受信部２４と、メモリ２５と、制御部２６とを備えている。
【００４７】
端子Ｔ１１，Ｔ１２は、表示機器１０の端子Ｔ１，Ｔ２と同様に、ＨＤＭＩ規格に準拠したコネクタを用いて構成されたものである。この例では、端子Ｔ１１にのみ、映像機器として録画再生機器３０Ａが接続されている。詳細は後述するが、端子Ｔ１１に接続された録画再生機器３０Ａには、その端子Ｔ１１に応じた物理アドレスが割り当てられるようになっている。なお、この例では、端子Ｔ１２には映像装置が接続されていないが、これに限定されるものではなく、録画再生機器などの映像装置が接続されていてもよい。
【００４８】
ＨＤＭＩ送受信部２１は、表示機器１０のＨＤＭＩ送受信部１１と同様に、端子Ｔ１１を介して接続された録画再生機器３０Ａから映像信号を受信するとともに、この録画再生機器３０Ａとの間で、機器が連携して動作するためのＣＥＣ制御信号をやりとりするものである。受信する映像信号は、この録画再生機器３０Ａの立体的なメニュー画面に関する映像情報を含むものである。ＨＤＭＩ送受信部２１は、端子Ｔ１１，Ｔ１２において受信した映像信号のうちの一方を選択し、選択した映像信号を映像処理部２３に供給するようになっている。
【００４９】
ＯＳＤ生成部２２、映像処理部２３、ＨＤＭＩ送受信部２４、メモリ２５、および制御部２６は、録画再生機器３０Ａにおける、対応するブロックと同様の機能を有している。すなわち、ＯＳＤ生成部２２は、割り当てられメモリ２５に記憶されたＯＳＤ立体度に基づいて、映像情報に重ねて表示される立体的なメニュー画面を生成する機能を有している。映像処理部２３は、ＨＤＭＩ送受信部２１から供給された映像情報の上にＯＳＤ生成部２２から供給されるメニュー画面を重ね合わせるとともに、所定の映像処理を行うものである。ＨＤＭＩ送受信部２４は、映像処理部２３から供給された、立体的なメニュー画面を含む映像情報を表示機器１０に送信するとともに、この表示機器１０との間で、機器が連携して動作するためのＣＥＣ制御信号をやりとりするものである。メモリ２５は、アンプ２０の物理アドレス、論理アドレス、およびＯＳＤ立体度など、アンプ２０が様々な処理を行う際に必要な情報を記憶しておくものである。制御部２６は、ＨＤＭＩ送受信部２１，２４、ＯＳＤ生成部２２、映像処理部２３、メモリ２５、制御部２６が連携して動作するように制御する機能を有している。また、制御部２６は、ＨＤＭＩ送受信部２１，２４が受信したＣＥＣ制御信号に基づいてこれらの回路ブロックを制御し、録画再生機器３０Ａおよび表示装置１０を制御するためのＣＥＣ制御信号を生成する機能も有している。
【００５０】
（機器情報管理テーブルＴＡ）
図４は、機器情報管理テーブルＴＡを表すものである。機器情報管理テーブルＴＡは、表示機器１０のメモリ１７に記憶されており、映像表示システム１を構成している表示機器１０および映像機器の機器情報を示している。機器情報管理テーブルＴＡは、各機器の物理アドレス、論理アドレス、およびＯＳＤ立体度から構成される。以下に、具体的な各機器の接続例を参照して、これらを詳細に説明する。
【００５１】
図５は、映像表示システム１の各機器の接続例を表すものである。なお、図５に示した接続例は、図１に示した映像表示システム１の構成例と対応している。
【００５２】
物理アドレスは、映像表示システム１に接続された各機器を特定するためのものである。各機器の物理アドレスは、その機器が接続されている上位の機器の端子に応じて割り当てられるようになっている。具体的には、例えば、表示機器１０の端子Ｔ１に接続されたアンプ２０の物理アドレスは（１．０．０．０）が割り当てられ、端子Ｔ２に接続された録画再生機器３０Ｂの物理アドレスは（２．０．０．０）が割り当てられる。すなわち、物理アドレスの最初の桁が、表示機器１０の端子Ｔ１，Ｔ２に対応するようになっている。また、アンプ２０の端子Ｔ１１に接続された録画再生機器３０Ａの物理アドレスは（１．１．０．０）が割り当てられる。すなわち、物理アドレスの１番目の桁が、表示装置１０の端子Ｔ１に対応するとともに、物理アドレスの２番目の桁が、アンプ２０の端子Ｔ１１に対応するようになっている。なお、表示機器１０の物理アドレスは（０．０．０．０）である。機器情報管理テーブルＴＡには、このようにして割り当てられた各機器の物理アドレスが記録されるようになっている。
【００５３】
論理アドレスは、映像表示システム１に接続された各機器の種類を特定するためのものである。つまり、各機器の論理アドレスは、その機器の種類に応じたものであり、その機器が映像表示システム１に接続されたときに割り当てられるようになっている。具体的には、まず最初に、表示機器１０のみからなる映像表示システムに、その表示機器１０の端子Ｔ１を介してアンプ２０を接続する場合、アンプ２０は、映像表示システムに対して、自らの機器の種類（AMP）に“1”を付した“AMP1”が論理アドレスとして既に使用されているかどうかを、ＣＥＣ制御信号を用いて問い合わせる。この場合、“AMP1”は、映像表示システムにおいて論理アドレスとして使用されていないため、アンプ２０に対して論理アドレス“AMP1”が割り当てられる。次に、表示機器１０およびアンプ２０からなる映像表示システムに、アンプ２０の端子Ｔ１１を介して録画再生機器３０Ａを接続する場合には、アンプ２０の場合と同様に、自らの機器の種類（Recorder）に“1”を付した“Recorder1”が論理アドレスとして割り当てられる。次に、表示機器１０、アンプ２０、録画再生機器３０Ａからなる映像表示システムに、表示機器１０の端子Ｔ２を介して録画再生機器３０Ｂを接続する場合、録画再生機器３０Ｂは、映像表示システムに対して、まず、自らの機器の種類（Recorder）に“1”を付した“Recorder1”が既に論理アドレスとして使用されているかどうかを、ＣＥＣ制御信号を用いて問い合わせる。この場合、論理アドレス“Recorder1”は既に録画再生機器３０Ａに割り当てられているため、録画再生機器３０Ｂは、その旨の連絡を受け、次に、自らの機器の種類（Recorder）に“2”を付した“Recorder2”が既に論理アドレスとして使用されているかどうかを、ＣＥＣ制御信号を用いて問い合わせる。この場合、“Recorder2”は、映像表示システムにおいて論理アドレスとして使用されていないため、録画再生機器３０Ｂに対して論理アドレス“Recorder2”が割り当てられる。機器情報管理テーブルＴＡには、このようにして割り当てられた各機器の論理アドレスが記録されるようになっている。
【００５４】
ＯＳＤ立体度は、各機器がＯＳＤによる立体的なメニュー画面を生成する際に使用する、そのメニュー画面の立体的に見える度合いを示すものである。ＯＳＤ立体度は、この例では、その値が大きいほど、そのメニュー画面が手前に表示されるようになっている。表示機器１０のＯＳＤ立体度と、表示機器１０の入力として選択された端子に直接的および間接的に接続された全ての映像機器のＯＳＤ立体度とは、互いに異なるようになっている。例えば、図５に示した映像表示システム１の接続例において、表示機器１０の端子Ｔ１が入力として選択されている場合、表示機器１０のＯＳＤ立体度と、アンプ２０のＯＳＤ立体度と、録画再生機器３０ＡのＯＳＤ立体度とは、互いに異なるようになっている。これにより、後述するように、表示機器１０の画面上に、表示機器１０、アンプ２０、および録画再生機器３０Ａの立体的なメニュー画面が同時に表示された場合でも、ユーザは、そのＯＳＤ立体度の違いにより、各メニュー画面がそれぞれ別の機器のものであることを直観的に認識できるようになっている。
【００５５】
ＯＳＤ立体度の割り当ては、例えば、上述した論理アドレスの割り当て方法と同様に、その機器を映像表示システムに接続したときに、映像表示システムに対してＣＥＣ制御信号を用いて問い合わせることにより行うようにすることができる。機器情報管理テーブルＴＡには、このようにして割り当てられた各機器のＯＳＤ立体度が記録されるようになっている。
【００５６】
この構成により、表示機器１０では、後述するように、互いにＯＳＤ立体度の異なる複数の立体的なメニュー画面が表示された場合において、リモートコントロール機器４０から供給されるメニュー画面選択信号に基づいて、制御部１８は、機器情報管理テーブルＴＡのＯＳＤ立体度を用いて、メニュー画面を選択する。そして、制御部１８およびＨＤＭＩ送受信部１１は、そのメニュー画面を強調表示させるためのＣＥＣ制御信号を生成し、そのメニュー画面に係る機器（例えばアンプ２０）に対して送信する。そのＣＥＣ制御信号を受信したアンプ２０では、ＯＳＤ生成部２２が強調表示したメニュー画面を生成する。これによって、表示機器１０では、複数の機器の立体的なメニュー画面のうち、ユーザが選択したアンプ２０のメニュー画面が強調表示されるようになっている。
【００５７】
ここで、表示機器１０は、本発明における「表示装置」の一具体例に対応する。ＯＳＤ立体度は、本発明における「立体度」の一具体例に対応する。制御部１８は、本発明における「表示制御部」の一具体例に対応する。ＯＳＤ生成部１３は、本発明における表示装置の「メニュー画面生成部」の一具体例に対応する。ＨＤＭＩ送受信部１１は、本発明における表示装置の「送信部」および「受信部」の一具体例に対応する。物理アドレスおよび論理アドレスは、本発明における「装置アドレス」の一具体例に対応する。機器情報管理テーブルＴＡは、本発明における「装置情報」の一具体例に対応する。メモリ１７は、本発明における「装置情報保持部」の一具体例に対応する。リモートコントロール機器４０は、本発明における「リモコン装置」の一具体例に対応する。
【００５８】
アンプ２０および録画再生機器３０Ａは、本発明における「映像装置」の一具体例に対応する。ＨＤＭＩ送受信部２１，２４，３４は、本発明における映像装置の「送信部」および「受信部」の一具体例に対応する。ＯＳＤ生成部２２，３２は、本発明における映像装置の「メニュー画面生成部」の一具体例に対応する。
【００５９】
［動作および作用］
続いて、本実施の形態の映像表示システム１の動作および作用について説明する。
【００６０】
（全体動作概要）
まず、映像表示システム１の全体動作を説明する。ここでは、全体動作の一例として、録画再生機器３０Ａおいて映像情報を再生し、その映像情報を表示機器１０で表示する場合の例を示す。
【００６１】
録画再生機器３０Ａでは、まず、記録再生部３１が、映像情報を再生する。ＯＳＤ生成部３２は、メモリ３５に記憶された、録画再生機器３０Ａに割り当てられたＯＳＤ立体度に基づいて、立体的なメニュー画面を生成する。映像処理部３３は、記録再生部３１から供給された映像情報の上にＯＳＤ生成部３２から供給されたメニュー画面を重ね合わせ、所定の映像処理を行う。ＨＤＭＩ送受信部３４は、映像処理部３３から供給された、立体的なメニュー画面を含む映像情報をアンプ２０に送信する。制御部３５は、これらのブロックが連携して動作を行うように制御する。
【００６２】
アンプ２０では、ＨＤＭＩ送受信部２１が録画再生機器３０Ａから供給される映像情報を受信する。ＯＳＤ生成部２２は、メモリ２５に記憶された、アンプ２０に割り当てられたＯＳＤ立体度に基づいて、立体的なメニュー画面を生成する。映像処理部２３は、ＨＤＭＩ送受信部２１から供給された映像情報の上にＯＳＤ生成部２２から供給されたメニュー画面を重ね合わせ、所定の映像処理を行う。ＨＤＭＩ送受信部２４は、映像処理部２３から供給された、立体的なメニュー画面を含む映像情報を表示機器１０に送信する。制御部２６は、これらのブロックが連携して動作を行うように制御する。
【００６３】
表示機器１０では、ＨＤＭＩ送受信部１１がアンプ２０から供給される映像情報を選択し受信する。ＯＳＤ生成部１３は、メモリ１７に記憶された機器情報管理テーブルＴＡの、表示機器１０に割り当てられたＯＳＤ立体度に基づいて、立体的なメニュー画面を生成する。映像処理部１４は、ＨＤＭＩ送受信部１１から供給された映像情報を選択し、その映像情報の上にＯＳＤ生成部１３から供給されたメニュー画面を重ね合わせ、所定の映像処理を行う。表示部１５は、映像処理部１４から供給された信号に基づいて立体視表示を行う。ＲＣ受信部１６は、リモートコントロール機器４０からのリモコン制御信号を受信して、その信号を制御部１８に送る。制御部１８は、これらのブロックが連携して動作を行うように制御する。
【００６４】
（詳細動作）
図６は、映像表示システム１に複数のメニュー画面を表示させ、その中から操作するメニュー画面を選択する場合の流れ図を表すものである。映像表示システム１では、表示装置１０が、互いにＯＳＤ立体度の異なる複数の立体的なメニュー画面を表示した後、ユーザに、リモートコントロール機器４０を用いて、各メニュー画面のＯＳＤ立体度に基づいてメニュー画面を選択させる。表示装置１０は、ユーザの操作に基づいて、ＯＳＤ立体度を用いて、メニュー画面を特定して選択し、そのメニュー画面に対して強調表示を行う。なお、この例では、各機器には、物理アドレス、論理アドレス、およびＯＳＤ立体度が既に割り当てられているとする。すなわち、機器情報管理テーブルＴＡは既に生成され、メモリ１７に記憶されており、各機器のメモリには、その機器に割り当てられた物理アドレス、論理アドレス、およびＯＳＤ立体度が記憶されているとする。以下に、フローの各ステップを詳細に説明する。
【００６５】
まず、表示機器１０は、リモートコントロール装置４０から、メニュー画面表示要求信号を受信する（ステップＳ１）。具体的には、ユーザが、例えば、リモートコントロール装置４０の奥ボタン４１または手前ボタン４２を押すことにより、リモートコントロール装置４０はメニュー画面表示要求信号を送信し、表示機器１０のＲＣ受信部１６がその信号を受信する。
【００６６】
次に、表示機器１０は、メニュー画面を生成するとともに、映像機器に対してメニュー画面生成要求信号を送信する（ステップＳ２）。具体的には、表示機器１０では、まず、ＯＳＤ生成部１３が、メモリ１７に記憶された機器情報管理テーブルＴＡの、表示機器１０に割り当てられたＯＳＤ立体度に基づいて、立体的なメニュー画面を生成する。そして、制御部１８が、メモリ１７に記憶された機器情報管理テーブルＴＡに基づいて、表示機器１０の入力として選択された端子（例えば端子Ｔ１）に直接的および間接的に接続された全ての映像機器（録画再生機器３０Ａおよびアンプ２０）に対するメニュー画面生成要求信号を生成し、ＨＤＭＩ送受信部１１が、この要求信号をＣＥＣ制御信号として送信する。
【００６７】
次に、録画再生機器３０Ａおよびアンプ２０は、メニュー画面を生成し映像出力を行う（ステップＳ３）。具体的には、録画再生機器３０Ａでは、ＯＳＤ生成部１３が、メモリ３５に記憶された、録画再生機器３０Ａに割り当てられたＯＳＤ立体度に基づいて、立体的なメニュー画面を生成する。そして、映像処理部３３は、記録再生部３１から供給される映像情報上にこのメニュー画面を重ね合わせ、ＨＤＭＩ送受信部３４が、その映像情報をアンプ２０に対して送信する。同様に、アンプ２０では、ＯＳＤ生成部２２が、メモリ２５に記憶された、アンプ２０に割り当てられたＯＳＤ立体度に基づいて、立体的なメニュー画面を生成し、映像処理部３３は、ＨＤＭＩ送受信部２１を介して録画再生機器３０Ａから供給された映像情報上にこのメニュー画面を重ね合わせ、ＨＤＭＩ送受信部２４がその映像情報を表示機器１０に対して送信する。
【００６８】
次に、表示機器１０は、表示機器１０および映像機器のメニュー画面を表示する（ステップＳ４）。具体的には、表示機器１０では、映像処理部１４が、ＨＤＭＩ送受信部１１を介してアンプ２０から供給された映像情報上に、ステップＳ２において生成された表示機器１０のメニュー画面を重ね合わせ、表示部１５がその映像情報を表示する。これにより、表示部１５には、録画再生機器３０Ａの記録再生部３１が再生する映像情報上に、互いにＯＳＤ立体度が異なる、録画再生機器３０Ａ、アンプ２０、および表示機器１０の各機器のメニュー画面が同時に表示されるようになる。
【００６９】
図７は、表示機器１０に表示されたメニュー画面の表示例を表すものであり、（Ａ）は、表示装置１０のメニュー画面が選択されている場合を示し、（Ｂ）は、アンプ２０のメニュー画面が選択されている場合を示す。図７に示したように、表示機器１０には、表示機器１０のメニュー画面Ｍ１０と、アンプ２０のメニュー画面Ｍ２０と、録画再生機器３０Ａのメニュー画面Ｍ３０Ａとが表示されている。メニュー画面Ｍ１０，Ｍ２０，Ｍ３０Ａは、例えば、画面内で重なって表示されないようにあらかじめ設定されている。これらのメニュー画面Ｍ１０，Ｍ２０，Ｍ３０Ａは、図４に示した機器情報管理テーブルＴＡに基づいて表示されている。すなわち、例えば、表示装置１０（論理アドレス：“TV”）は、ＯＳＤ立体度が“５”であるので、図７に示したように、そのメニュー画面Ｍ１０が最も手前に表示されている。一方、例えば、録画再生機器３０Ａ（論理アドレス：“Recorder1”）は、ＯＳＤ立体度が“１”であるので、図７に示したように、そのメニュー画面Ｍ３０Ａが、最も奥に表示されている。図７（Ａ）では、表示装置１０のメニュー画面Ｍ１０が強調表示されている。つまり、メニュー画面Ｍ１０が選択され操作可能であることを示している。
【００７０】
次に、表示機器１０は、リモートコントロール装置４０から、メニュー画面選択信号を受信する（ステップＳ５）。具体的には、ユーザが、リモートコントロール装置４０の奥ボタン４１または手前ボタン４２を押すことにより、リモートコントロール装置４０はメニュー画面選択信号を送信し、表示機器１０のＲＣ受信部１６がその信号を受信する。
【００７１】
次に、表示機器１０は、メニュー画面選択信号に基づいてメニュー画面を選択する（ステップＳ６）。具体的には、表示機器１０の制御部１８は、メモリ１７に記憶されている、現在選択され操作可能となっているメニュー画面のＯＳＤ立体度と、メモリ１７に記憶されている機器情報管理テーブルＴＡと、ステップＳ５においてリモートコントロール装置４０より受信したメニュー画面選択信号に基づいて、メニュー画面を特定して選択する。これにより、表示機器１０は、その選択したメニュー画面を操作可能な状態とする。
【００７２】
例として、図７（Ａ）に示したように、表示機器１０に表示されているメニュー画面のうち、表示装置１０のメニュー画面Ｍ１０が選択（強調表示）され操作可能となっている場合について、詳細に説明する。この場合、図４に示したように、表示装置１０（論理アドレス：“TV”）のメニュー画面Ｍ１０のＯＳＤ立体度が“５”であるので、メモリ１７には、このＯＳＤ立体度“５”が記憶されている。ここで、ユーザが、リモートコントロール機器４０を操作し、例えば奥ボタン４１を押すと、表示機器１０の制御部１８は、機器情報管理テーブルＴＡを用いて、現在表示されている、表示機器１０（論理アドレス：“TV”）、アンプ２０（論理アドレス：“AMP1”）、および録画再生機器３０Ａ（論理アドレス：“Recorder1”）の３つのメニュー画面のうち、そのＯＳＤ立体度が、現在選択されているメニュー画面のＯＳＤ立体度の次に小さいものを調べる。すなわち、制御部１８は、表示装置１０のメニュー画面Ｍ１０のＯＳＤ立体度“５”の次に小さい、アンプ２０のメニュー画面Ｍ２０（ＯＳＤ立体度：“３”）を選択する。
【００７３】
一方、ユーザが手前ボタン４１を押した場合には、表示機器１０の制御部１８は、現在表示されている３つのメニュー画面のうち、そのＯＳＤ立体度が、現在選択されているメニュー画面のＯＳＤ立体度の次に大きいものを調べ、そのメニュー画面を選択する。
【００７４】
なお、例えば図７（Ａ）では、３つのメニュー画面のうち、ＯＳＤ立体度が一番大きいメニュー画面Ｍ１０が既に選択されているため、さらにユーザが手前ボタン４２を押しても、制御部１８は、現在選択されているメニュー画面のＯＳＤ立体度の次に大きいものを見つけることができない。この場合には、制御部１８は、手前ボタン４２が押されても何の応答もしないようにしてもよい。あるいは、制御部１８は、このような場合に手前ボタン４２が押されたときには、現在表示されている３つのメニュー画面のうち、そのＯＳＤ立体度が一番小さなものを調べ、そのメニュー画面を選択するようにしてもよい。
【００７５】
次に、表示機器１０は、選択したメニュー画面が表示機器１０のものであるかどうかを判定する（ステップＳ７）。具体的には、表示機器１０の制御部１８は、ステップＳ６において選択したメニュー画面が、表示機器１０のものであるかどうかを判定する。そのメニュー画面が表示機器１０のものである場合にはステップＳ８に進み、表示機器１０のものでない場合には、ステップＳ９に進む。
【００７６】
ステップＳ７において、メニュー画面が表示機器１０のものである場合には、表示機器１０は、強調したメニュー画面を生成する（ステップＳ８）。具体的には、表示機器１０のＯＳＤ生成部１３は、例えば、メニュー画面の色や枠線などを変更することにより、強調したメニュー画面を生成する。なお、メニュー画面の強調は、色や線の太さなどの静的なものに限定されるものではなく、例えば、メニュー画面を点滅表示するなどの動的なものであってもよい。その後、ステップＳ１１に進む。
【００７７】
ステップＳ７において、メニュー画面が表示機器１０のものでない場合には、表示機器１０は、対象となる映像機器に強調メニュー画面生成要求信号を送信する（ステップＳ９）。具体的には、表示機器１０の制御部１８は、ステップＳ６において選択したメニュー画面を生成した映像機器（アンプ２０または録画再生機器３０Ａ）に対して、強調したメニュー画面の生成を指示する強調メニュー画面生成要求信号を生成し、ＨＤＭＩ送受信部１１が、その要求信号をＣＥＣ制御信号として送信する。
【００７８】
次に、映像機器は、強調したメニュー画面を生成し、映像出力を行う（ステップＳ１０）。具体的には、例えば、ステップＳ９において、録画再生機器３０Ａに対して強調メニュー画面生成要求信号が送信された場合には、録画再生機器３０ＡのＯＳＤ生成部３２が、強調したメニュー画面を生成する。そして、映像処理部３３は、記録再生部３１より供給された映像情報上にこのメニュー画面を重ね合わせた映像情報を生成し、ＨＤＭＩ送受信部３４は、この映像情報を、アンプ２０を介して表示機器１０に対して送信する。また、例えば、ステップＳ９において、アンプ２０に対して強調メニュー画面生成要求信号が送信された場合には、アンプ２０のＯＳＤ生成部２２が、強調したメニュー画面を生成する。そして、映像処理部２３は、ＨＤＭＩ送受信部２１より供給された映像情報上にこのメニュー画面を重ね合わせた映像情報を生成し、ＨＤＭＩ送受信部２４は、この映像情報を表示機器１０に対して送信する。
【００７９】
次に、表示機器１０は、表示機器１０および映像機器のメニュー画面を再表示する（ステップＳ１１）。具体的には、表示機器１０の映像処理部１４は、ＨＤＭＩ送受信部１１を介してアンプ２０から供給された映像情報上に、表示機器１０のメニュー画面を重ね合わせ、表示部１５がその映像情報を表示する。これにより、表示機器１０では、図７（Ｂ）に示したように、ステップＳ４において表示された画面（図７（Ａ））とは異なるメニュー画面が強調表示されるようになる。
【００８０】
以上でこのフローは終了する。この後、ユーザは、強調表示されたメニュー画面に対して操作を行うことができる。具体的には、表示装置１０は、例えば、ユーザがリモートコントロール装置４０の上下左右を示すボタンを押した場合には、それに対応するＣＥＣ制御信号を、ステップＳ６において選択したメニュー画面を生成した表示装置１０もしくは映像装置に送る。また、他の機器のメニュー画面を選択する場合には、ステップＳ５に戻り、再度リモートコントロール機器４０を操作すればよい。
【００８１】
映像表示システム１では、ＯＳＤによるメニュー画面を操作する際に、ユーザは、まず、互いにＯＳＤ立体度の異なる複数のメニュー画面を表示させ、リモートコントロール機器４０の奥ボタン４１および手前ボタン４２を押してその立体度を選択することにより、表示されたメニュー画面の中からメニュー画面を選択する。つまり、従来のように、表示された表示機器や映像機器の一覧から選択する場合に比べて、より直観的にメニュー画面を選択し操作することができる。
【００８２】
例えば、ＯＳＤによるメニュー画面により、録画再生機器３０Ａの再生を開始する場合、従来では、ユーザは、まず映像機器の一覧から録画再生機器３０Ａを選択し、ＯＳＤによるメニュー画面を表示させたうえで、操作を行う必要があった。一方、映像表示システム１では、ユーザは、まず、例えば図７（Ａ）に示したような互いにＯＳＤ立体度の異なるメニュー画面を表示させ、その後リモートコントロール機器４０の奥ボタン４１を２回押すことにより、録画再生機器３０Ａのメニュー画面Ｍ３０Ａを選択することができる。つまり、機器の選択という作業を意識せず、直観的にメニュー画面を選択することができる。
【００８３】
［効果］
以上のように本実施の形態では、複数の機器のメニュー画面を同時に表示し、その中からメニュー画面を選択するようにしたので、機器を意識することなくその機器のメニュー画面を選択することができる。
【００８４】
本実施の形態では、互いにＯＳＤ立体度が異なるようにして同時に表示させた複数のメニュー画面から、そのＯＳＤ立体度を用いて、奥ボタンおよび手前ボタンによりメニュー画面を選択するようにしたので、メニュー画面を直観的に選択することができる。
【００８５】
本実施の形態では、表示機器のメモリに、各機器のアドレスとともにＯＳＤ立体度を機器情報管理テーブルとして記憶し管理するようにしたので、立体度に基づいて、メニュー画面およびそのメニュー画面を生成した機器を特定することができる。
【００８６】
上記実施の形態では、操作する機器のメニュー画面を強調するようにしたが、これに限定されるものではなく、これに代えて、例えば、操作しないメニュー画面を薄く表示することにより、操作する機器のメニュー画面を相対的に強調するようにしてもよい。
【００８７】
＜２．第２の実施の形態＞
次に、本発明の第２の実施の形態に係る映像表示システム２について説明する。本実施の形態は、表示された複数の機器のメニュー画面の中からメニュー画面を選択したときの表示方法が、上記第１の実施の形態と異なるものである。すなわち、上記第１の実施の形態（図７）では、選択されたメニュー画面は、ＯＳＤ立体度を維持したまま強調表示されるようにしたが、これに代えて、本実施の形態では、ＯＳＤ立体度を変更することにより、選択されたメニュー画面が最も手前に表示されるようにしている。映像表示システム２の構成は、図１に示した第１の実施の形態に係る映像表示システム１と同様であるが、制御部１８が、リモートコントロール機器４０からメニュー画面選択信号を受信する度に、メモリ１７に記憶された機器情報管理テーブルＴＡのＯＳＤ立体度を変更するようになっている。なお、上記第１の実施の形態に係る映像表示システム１と実質的に同一の構成部分には同一の符号を付し、適宜説明を省略する。
【００８８】
図８は、映像表示システム１に複数のメニュー画面を表示させ、その中から操作したいメニュー画面を選択する場合の流れ図を表すものである。以下に、フローの各ステップを詳細に説明する。
【００８９】
まず、表示機器１０は、リモートコントロール装置４０から、メニュー画面表示要求信号を受信し（ステップＳ２１）、メニュー画面を生成するとともに、映像機器に対してメニュー画面生成要求を送信する（ステップＳ２２）。そして、録画再生機器３０Ａおよびアンプ２０は、メニュー画面を生成し映像出力を行い（ステップＳ２３）、表示機器１０は、表示機器１０および映像機器のメニュー画面を表示する（ステップＳ２４）。これらの動作は、図６に示したステップＳ１〜Ｓ４の動作と同様である。
【００９０】
図９は、表示機器１０に表示されたメニュー画面の表示例を表すものであり、（Ａ）は、表示装置１０のメニュー画面Ｍ１０が選択されている場合を示し、（Ｂ）は、アンプ２０のメニュー画面Ｍ２０が選択されている場合を示し、（Ｃ）は、録画再生機器３０Ａのメニュー画面Ｍ３０Ａが選択されている場合を示す。図９（Ａ）に示したメニュー画面Ｍ１０，Ｍ２０，Ｍ３０Ａは、図４に示した機器情報管理テーブルＴＡに基づいて表示されている。本実施の形態では、最も手前に表示されるメニュー画面が、操作可能なメニュー画面になっている。すなわち、図９（Ａ）は、表示装置１０のメニュー画面Ｍ１０が操作可能であることを示している。
【００９１】
次に、表示機器１０は、リモートコントロール機器４０からメニュー画面選択信号を受信する（ステップＳ２５）。具体的には、図６に示したステップＳ５と同様に、ユーザが、リモートコントロール装置４０の奥ボタン４１または手前ボタン４２を押すことにより、リモートコントロール装置４０はメニュー画面選択信号を送信し、表示機器１０のＲＣ受信部１６がその信号を受信する。
【００９２】
次に、表示機器１０は、機器情報管理テーブルＴＡのＯＳＤ立体度を設定し、メニュー画面を選択する（ステップＳ２６）。具体的には、表示機器１０の制御部１８は、メモリ１７に記憶された機器情報管理テーブルＴＡのＯＳＤ立体度を、ステップ２５においてリモートコントロール装置４０より受信したメニュー画面選択信号に基づいて書き換える。そして、ＯＳＤ立体度が最も大きいメニュー画面、すなわち最も手前に表示されるメニュー画面を特定して選択する。これにより、表示機器１０は、その選択されたメニュー画面を操作可能な状態とする。
【００９３】
例として、図９（Ａ）に示したように、表示機器１０に表示されているメニュー画面のうち、表示装置１０のメニュー画面Ｍ１０が選択されている場合について、詳細に説明する。この場合、表示機器１０は、リモートコントロール機器４０からメニュー画面選択信号を受信すると、表示機器１０の制御部１８は、現在表示されている、表示機器１０、アンプ２０、および録画再生機器３０Ａの３つのメニュー画面のＯＳＤ立体度をそれぞれ巡回するように変更し、機器情報管理テーブルＴＡを書き換える。すなわち、図９（Ａ）に示した状態において、ユーザが、リモートコントロール機器４０の手前ボタン４２を押すと、図１０（Ａ）に示したように、アンプ２０（論理アドレス：“AMP1”）のＯＳＤ立体度が“３”から“５”に変更され、録画再生機器３０Ａ（論理アドレス：“Recorder1”）のＯＳＤ立体度が“１”から“３”に変更され、ともに手前に表示されるように設定される。また、図９（Ａ）において最も手前に表示されていた表示機器１０（論理アドレス：“TV”）のメニュー画面のＯＳＤ立体度は“５”から“１”に変更され、一番奥に表示されるように設定される。このようにして、表示機器１０は、最も手前に表示するように設定されたアンプ２０を選択する。
【００９４】
一方、図９（Ａ）に示した状態において、ユーザが、リモートコントロール機器４０の奥ボタン４１を押すと、図１０（Ｂ）に示したように、表示装置１０（論理アドレス：“TV”）のＯＳＤ立体度が“５”から“３”に変更され、アンプ２０（論理アドレス：“AMP1”）のＯＳＤ立体度が“３”から“１”に変更され、ともに一つ奥に表示されるように設定される。また、図９（Ａ）において最も奥に表示されていた録画再生機器３０Ａ（論理アドレス：“Recorder1”）のメニュー画面のＯＳＤ立体度は“１”から“５”に変更され、一番手前に表示されるように設定される。このようにして、表示機器１０は、最も手前に表示するように設定された録画再生機器３０Ａを選択する。
【００９５】
次に、表示機器１０は、変更されたＯＳＤ立体度に基づいてメニュー画面を生成する（ステップＳ２７）。具体的には、表示機器１０のＯＳＤ生成部１３は、メモリ１７に記憶された機器情報管理テーブルＴＡのＯＳＤ立体度に基づいて、立体的なメニュー画面を生成する。
【００９６】
次に、表示機器１０は、メニュー画面を表示している全ての映像機器に対してメニュー画面生成要求信号を送信する（ステップＳ２８）。具体的には、表示機器１０では、制御部１８が、表示機器１０の入力として選択された端子に直接的および間接的に接続された全ての映像機器に対して、機器情報管理テーブルＴＡの各機器のＯＳＤ立体度とともに、メニュー画面生成要求信号を生成する。そして、ＨＤＭＩ送受信部１１が、その映像機器に対してそれらの信号をＣＥＣ制御信号として送信する。この例では、ＨＤＭＩ送受信部１１は、端子Ｔ１を介して、アンプ２０および録画再生機器３０Ａに対して、これらの機器のＯＳＤ立体度とともに、メニュー画面生成要求信号を送信する。
【００９７】
次に、映像機器は、受信したＯＳＤ立体度に基づいて立体的なメニュー画面を生成し、映像出力を行う（ステップＳ２９）。具体的には、録画再生機器３０Ａでは、ＯＳＤ生成部３２が、受信したＯＳＤ立体度に基づいて立体的なメニュー画面を生成する。そして、映像処理部３３は、記録再生部３１より供給された映像情報上にこのメニュー画面を重ね合わせた映像情報を生成し、ＨＤＭＩ送受信部３４は、この映像情報を、アンプ２０を介して表示機器１０に対して送信する。また、アンプ２０では、ＯＳＤ生成部２２が、受信したＯＳＤ立体度に基づいて立体的なメニュー画面を生成する。そして、映像処理部２３は、ＨＤＭＩ送受信部２１より供給された映像情報上にこのメニュー画面を重ね合わせた映像情報を生成し、ＨＤＭＩ送受信部２４は、この映像情報を表示機器１０に対して送信する。
【００９８】
次に、表示機器１０は、表示機器１０および映像機器のメニュー画面再表示を行う（ステップＳ３０）。具体的には、図６のステップＳ１１と同様に、表示機器１０の映像処理部１４は、ＨＤＭＩ送受信部１１を介してアンプ２０から供給された映像情報上に、表示機器１０のメニュー画面を重ね合わせ、表示部１５がその映像情報を表示する。これにより、表示機器１０では、図９（Ｂ）および図９（Ｃ）に示したように、ステップＳ２４において表示された画面（図９（Ａ））とは異なるＯＳＤ立体度でメニュー画面が表示されるようになる。図９（Ｂ）に示した画面は、図１０（Ａ）に示した機器情報管理テーブルＴＡに対応するものである。すなわち、図９（Ｂ）では、例えば、ＯＳＤ立体度が一番大きいアンプ２０（論理アドレス：“AMP1”）のメニュー画面Ｍ２０が最も手前になるように表示されている。同様に、図９（Ｃ）に示した画面は、図１０（Ｂ）に示した機器情報管理テーブルＴＡに対応するものである。すなわち、図９（Ｃ）では、例えば、ＯＳＤ立体度が一番大きい録画再生機器３０Ａ（論理アドレス：“Recorder1”）のメニュー画面Ｍ３０Ａが最も手前になるように表示されている。
【００９９】
以上でこのフローは終了する。この後、ユーザは、最も手前に表示されたメニュー画面に対して操作を行うことができる。具体的には、表示装置１０は、例えば、ユーザがリモートコントロール装置４０の上下左右を示すボタンを押した場合には、それに対応するＣＥＣ制御信号を、ステップＳ２６において選択したメニュー画面を生成し表示装置１０もしくは映像装置に送る。また、他の機器のメニュー画面を選択する場合には、ステップＳ２５に戻り、再度リモートコントロール機器４０を操作すればよい。
【０１００】
［効果］
本実施の形態では、奥ボタンおよび手前ボタンを押す度に、各メニュー画面のＯＳＤ立体度を変更し、最も手前に表示されたメニュー画面を操作可能にしたので、操作する機器のメニュー画面を直観的に選択できる。その他の効果は、上記第１の実施の形態の場合と同様である。
【０１０１】
以上、いくつかの実施の形態および変形例を挙げて本発明を説明したが、本発明はこれらの実施の形態等には限定されず、種々の変形が可能である。
【０１０２】
例えば、上記の各実施の形態では、リモートコントロール機器４０に奥ボタン４１および手前ボタン４２を設けたが、これに限定されるものではなく、これに代えて、例えば、奥ボタン４１もしくは手前ボタン４２の一方のみを設けてもよい。この場合でも、例えば奥ボタン４１を複数回押すことにより、操作したいメニュー画面を選択することができ、上記の各実施の形態と同様の効果を得ることができる。
【０１０３】
また、例えば、上記の各実施の形態では、全ての映像機器が、上述したようなＯＳＤによる立体的なメニュー画面を生成する仕組みを有するとしたが、これに限定されるものではなく、一部の映像機器がこの機能を有していなくてもよい。この場合でも、その映像機器以外については上述した制御が可能であり、上記の各実施の形態と同様の効果を得ることができる。
【０１０４】
また、例えば、上記の各実施の形態では、各映像機器において、その映像機器のメニュー画面を生成し表示機器に送信するようにしたが、これに限定されるものではなく、これに代えて、例えば、各映像機器は、最終的に表示されるメニュー画面のテキスト情報のみを表示機器に送信し、表示機器がそれらに基づいて立体的なメニュー画面を生成するようにしてもよい。この場合、図１において、アンプ２０では、ＯＳＤ生成部２２が必要なく、制御部２６がメニュー画面用のテキスト情報を生成し、ＨＤＭＩ送受信部２４がその情報を表示機器１０に送信する。同様に、録画再生機器３０Ａでは、ＯＳＤ生成部３２が必要なく、制御部３６がメニュー画面用のテキスト情報を生成し、ＨＤＭＩ送受信部３４がその情報をアンプ２０を介して表示機器１０に送信する。表示機器１０では、ＨＤＭＩ送受信部１１がそれらのテキスト情報を受信し、その情報に基づいてＯＳＤ生成部１３が、表示機器１０、アンプ２０、および録画再生機器３０Ａのメニュー画面を生成する。この場合でも、上記の各実施の形態と同様の効果を得ることができる。
【０１０５】
また、例えば、上記の各実施の形態では、映像機器と表示装置１０とをＨＤＭＩにより接続したが、これに限定されるものではなく、同様の機能を有する他の方法により接続してもよい。
【符号の説明】
【０１０６】
１，２…映像表示システム、５…表示デバイス、１０…表示機器、１１，２１，２４，３４…ＨＤＭＩ送受信部、１２…チューナ部、１３，２２，３２…ＯＳＤ生成部、１４，２３，３３…映像処理部、１５…表示部、１６…ＲＣ受信部、１７，２５，３５…メモリ、１８，２６，３６…制御部、１９…アンテナ、２０…アンプ、３０Ａ，３０Ｂ…録画再生機器、３１…記録再生部、４０…リモートコントロール機器、４１…奥ボタン、４２…手前ボタン、ＣＴＬ…シャッタ制御信号、Ｍ１０，Ｍ２０，Ｍ３０Ａ…メニュー画面、Ｔ１，Ｔ２，Ｔ１１，Ｔ１２…端子、ＴＡ…機器情報管理テーブル。
【図１】
2011250367.tif 000003
【図２】
2011250367.tif 000004
【図３】
2011250367.tif 000005
【図４】
2011250367.tif 000006
【図５】
2011250367.tif 000007
【図６】
2011250367.tif 000008
【図７】
2011250367.tif 000009
【図８】
2011250367.tif 000010
【図９】
2011250367.tif 000011
【図１０】
2011250367.tif 000012